(57)【特許請求の範囲】
【請求項１】
正電極及び負電極と、正電極に正極性かつ高圧の直流定電圧を印加すると共に負電極に負極性かつ高圧の直流定電圧を印加する高圧発生手段と、コロナ放電により正電極及び負電極の周囲に発生した正イオン及び負イオンを被除電物方向へ送風するファンと、を備えた直流式イオナイザにおいて、
前記ファンの後方に正電極及び負電極を配置すると共に、前記ファンの前方であって正電極及び負電極に対応する位置に正イオン用のイオン量センサ及び負イオン用のイオン量センサをそれぞれ配置し、
前記ファンの回転により、正イオン及び負イオンを間欠的に各イオン量センサにそれぞれ到達させ、これらのイオン量センサにより正イオン量及び負イオン量に相当するイオン電流をそれぞれ検出することを特徴とする直流式イオナイザ。
【請求項２】
請求項１に記載した直流式イオナイザにおいて、
各イオン量センサによりそれぞれ検出した正負のイオン電流を電圧に変換して正負のイオン量を表示する手段を備えたことを特徴とする直流式イオナイザ。
【請求項３】
請求項２に記載した直流式イオナイザにおいて、
正負のイオン量を表示する手段は、正イオン量及び負イオン量をバーグラフ状に発光表示する手段であることを特徴とする直流式イオナイザ。
【請求項４】
請求項１〜３の何れか１項に記載した直流式イオナイザにおいて、
各イオン量センサによりそれぞれ検出した正負のイオン電流に応じて、前記高圧発生手段により正電極または負電極に印加する電圧を調整して正負のイオン量をバランスさせることを特徴とする直流式イオナイザ。
【発明の詳細な説明】
【技術分野】  本発明は、発生イオンをファンにより被除電物方向へ送風する直流式イオナイザにおいて、特に発生イオン量の検出手段を改良した直流式イオナイザに関するものである。
【背景技術】  ファンを備えた直流式イオナイザは、正負の電極（エミッタ）に正の高電圧と負の高電圧をそれぞれ印加し、コロナ放電によって各電極周囲に発生する正イオン、負イオンをファンにより被除電物方向に送風して被除電物を除電するものとして知られている。
この種の直流式イオナイザにおいては、除電性能を確認したり正負のイオンバランスを保つため、あるいは、各電極の汚れによるクリーニング時期の到来を知らせるために、正負の電極から発生するイオン量をイオン量センサによりモニタする機能を備えている。
上記のような発生イオン量のモニタ機能を備えた直流式イオナイザは、例えば、特許文献１〜４等に記載されている。
【特許文献１】特開平２−２６７８８０号公報（第２頁右上欄第１行〜第３頁右上欄第１２行、第１図、第２図等）
【特許文献２】特開平１１−１３５２９３号公報（［００３１］〜［００４２］、図１、図２等）
【特許文献３】特開平３−２６６３９８号公報（第２頁左下欄第１１行〜第５頁左上欄第４行、第１図等）
【特許文献４】特許第３５７２５４１号公報（［００１３］〜［００３８］、図１等）
ここで、例えば直流式イオナイザの正電極または負電極に近接してイオン量センサを配置し、イオン量を検出する場合、各電極に印加される高電圧が直流の定電圧（正の直流高電圧または負の直流高電圧）であると、イオン量センサは各電極から発生する正イオン、負イオンによって正電圧または負電圧に帯電するだけであり、電圧の変化が生じないためイオン量センサに誘導電流が流れず、イオン電流ひいてはイオン量を検出することができない。
このため、上述した各従来技術では、正の高周波電圧または負の高周波電圧を正負の電極に印加し、これによってイオン量センサに流れる誘導電流をイオン量として検出している。
しかしながら、このような構成では、高周波電源回路の構成が複雑化し、直流式イオナイザの大形化やコストの上昇を招くという問題があった。
そこで本発明は、上記の課題を解決するためになされたものであり、その目的は、きわめて簡単な構成により発生イオン量のモニタ機能を実現し、イオンバランス制御や電極のクリーニング警報の発生を容易にした直流式イオナイザを提供しようとするものである。
【発明の開示】
上記課題を解決するため、請求項１に記載した発明は、正電極及び負電極と、正電極に正極性かつ高圧の直流定電圧を印加すると共に負電極に負極性かつ高圧の直流定電圧を印加する高圧発生手段と、コロナ放電により正電極及び負電極の周囲に発生した正イオン及び負イオンを被除電物方向へ送風するファンと、を備えた直流式イオナイザにおいて、
前記ファンの後方に正電極及び負電極を配置すると共に、前記ファンの前方であって正電極及び負電極に対応する位置に正イオン用のイオン量センサ及び負イオン用のイオン量センサをそれぞれ配置し、前記ファンの回転により、正イオン及び負イオンを間欠的に各イオン量センサにそれぞれ到達させ、これらのイオン量センサにより正イオン量及び負イオン量に相当するイオン電流をそれぞれ検出するものである。
また、本発明は、請求項２に記載するように、請求項１に記載した直流式イオナイザにおいて、各イオン量センサによりそれぞれ検出した正負のイオン電流を電圧に変換して正負のイオン量を表示する手段を備えたものである。
また、本発明は、請求項３に記載するように、請求項２に記載した直流式イオナイザにおいて、正負のイオン量を表示する手段は、正イオン量及び負イオン量をバーグラフ状に発光表示する手段であることを特徴とする。
更に、本発明は、請求項４に記載するように、請求項１〜３の何れか１項に記載した直流式イオナイザにおいて、各イオン量センサによりそれぞれ検出した正負のイオン電流に応じて、前記高圧発生手段により正電極または負電極に印加する電圧を調整して正負のイオン量をバランスさせるものである。
【図面の簡単な説明】  図１は、本発明の実施形態の全体的な構成図である。
図２は、本発明の実施形態の動作を示す波形図である。
【発明を実施するための最良の形態】  以下、図に沿って本発明の実施形態を説明する。まず、図１は本実施形態の全体的な構成図である。
図１において、１０は交流電源、１１は交流電源電圧を整流平滑して直流電圧を生成する整流平滑回路である。なお、これらの交流電源１０及び整流平滑回路１１に代えて蓄電池等の直流電源を用いても良い。
１２Ｐ，１２Ｎは、整流平滑回路１１の出力電圧をそれぞれ正負かつ高圧の直流定電圧に昇圧する高圧発生回路であり、これらの高圧発生回路１２Ｐ，１２Ｎから出力される正負の高電圧は正の電極１３Ｐ及び負の電極１３Ｎにそれぞれ印加されている。ここで、電極１３Ｐ，１３Ｎは、リング状の電極保持部の内周面にその中心方向へ向けて配置されている。これらの電極１３Ｐ，１３Ｎは互いに１８０度隔てて各１個設けられているが、９０度おきに交互に各２個ずつ配置しても良い。
上記構成において、交流電源１０、整流平滑回路１１及び高圧発生回路１２Ｐ，１２Ｎは、請求項における高圧発生手段を構成している。
電極保持部１３の前方には、電極１３Ｐ，１３Ｎの周囲に発生した正負のイオンを被除電物（図示せず）方向へ送風するためのファン１４が設けられている。
更に、ファン１４の前方には、各電極１３Ｐ，１３Ｎに対応させて正のイオン量センサ１５Ｐ及び負のイオン量センサ１５Ｎが配置されている。
これらのイオン量センサ１５Ｐ，１５Ｎの出力はコンバータ１６Ｐ，１６Ｎに入力されており、その出力はアンプ１７Ｐ，１７Ｎを介して表示制御回路１８に入力されている。
表示制御回路１８の出力はバーグラフ状のイオン量表示器１９に入力されており、正のイオン量、負のイオン量に応じて表示素子を発光させることにより、正負のイオン量を視覚的に表示可能となっている。
次に、本実施形態の動作を、図２を参照しつつ説明する。
図２（ａ），（ｂ）は、高圧発生回路１２Ｐ，１２Ｎにより正負の電極１３Ｐ，１３Ｎに印加される正負の直流定電圧＋ＶＨ，＋ＶＬをそれぞれ示している。これらの電圧が各電極１３Ｐ，１３Ｎに印加されることにより、各電極１３Ｐ，１３Ｎの周囲にはコロナ放電によって正負イオンがそれぞれ発生し、正負イオンはファン１４の回転による気流に乗って前方へ移動する。
その際、ファン１４の回転に伴ってイオン化エアーがチョッピングされるため、正負イオンはそれぞれ間欠的に正のイオン量センサ１５Ｐ及び負のイオン量センサ１５Ｎに到達することになり、これによって各イオン量センサ１５Ｐ，１５Ｎには、図２（ｃ），（ｄ）に示すようにファン１４の回転数に同期したパルス状の電圧が誘起される。
このため、各イオン量センサ１５Ｐ，１５Ｎには上記電圧に応じた誘導電流が流れることになり、その平均値＋ＩＨ，−ＩＬは図２（ｅ），（ｆ）に示すようになる。
これらのイオン電流はコンバータ１６Ｐ，１６Ｎにより正負の電圧にそれぞれ変換され、アンプ１７Ｐ，１７Ｎにより増幅されて表示制御回路１８に入力される。
表示制御回路１８では、正負の各電圧レベルに応じてイオン量表示器１９の所定数の表示素子を発光させるべく表示制御信号を生成し、この表示制御信号をイオン量表示器１９に入力して発光表示させる。
これにより、イオン量センサ１５Ｐ，１５Ｎが検出した正負イオン量をイオン量表示器１９にて表示することができ、各イオン量の多少やイオンバランスを視覚的に認識することが可能になる。
また、アンプ１７Ｐ，１７Ｎの出力信号を高圧発生回路１２Ｐまたは１２Ｎにフィードバックして各電極１３Ｐ，１３Ｎへの印加電圧を調整することにより、正負イオンの発生量をバランスさせることができる。
本発明によれば、正負の電極周囲に発生する正負イオンを、ファンの回転によりチョッピングして正負のイオン量センサに到達させることにより、高周波電源回路を用いなくても正負イオン量に応じたイオン電流を誘導させて正負イオンの発生量やイオンバランスを表示させることができる。
これにより、電源回路の構成を簡略化して直流式イオナイザの小形化、低価格化を図ることができる。
【図１】
0003913266.tif 000002
【図２】
0003913266.tif 000003